(57)【要約】【課題】パフなどへの化粧料の付着量を調節しながら使用することができることは言うまでもなく、部品点数が少なくてすみ、化粧料の充填がし易く組付けも簡単で、且つ部品が少なく、従って、使用後の廃棄も容易で使い勝手がよいとともに、安価に提供でき多量生産にも適したものとする。【解決手段】頂面を開放した円筒皿形に同一素材により一体的に成形され、底部３２の中央に底部３２の径よりも小径として周囲に枠部３４を有して形成した開口３５に伸縮性ネット５が張設されている。【選択図】  図１
2011087972.tif 000002
【特許請求の範囲】
【請求項１】
頂面を開放した円筒皿形に同一素材により一体的に成形され、底部の中央に底部の径よりも小径として周囲に枠部を有して形成した開口に伸縮性ネットが張設されていることを特徴とする化粧料容器用の中枠。
【請求項２】
前記頂面における上端縁に沿ってフランジを突出形成した構成としたことを特徴とする請求項１記載の化粧料容器用の中枠。
【請求項３】
前記ネットが射出成形により前記開口に張設されていることを特徴とする請求項１または２記載の化粧料容器用の中枠。
【請求項４】
前記ネットが高伸縮性を有することを特徴とする請求項１，２または３記載の化粧料容器用の中枠。
【発明の詳細な説明】
【技術分野】
【０００１】
本発明は、粉末状などの化粧料を収納する化粧料容器、殊に、充填した化粧料をパフや筆などの塗布具への付着量を調節可能な化粧料容器に収納して使用される中枠に関するものである。
【背景技術】
【０００２】
従来、頂面を開口した有底の容器本体に充填した化粧料をパフや筆などの塗布具への付着量を調節可能な化粧料容器として伸縮性のネットを張った中枠を用いたものが知られており、実開昭６３−１７７４０６号公報、実開平３−７２８０８号公報などに提示されている。これらの化粧料容器において伸縮ネットの上方からパフなどにより充填された化粧料に押しつけながら擦ることによりその強さに応じた量の化粧料を付着させることができるとともに充填された化粧料の表面をネットで覆うことにより化粧料が飛散するのを防止することができる、等の利点を有している。
【０００３】
そして、前記実開昭６３−１７７４０６号公報に提示されている中枠は、図５に示すように、例えばＡＢＳ樹脂により形成されて粉末の化粧料２を充填する容器本体１内に設置されて、その上の開口部４１に伸縮ネット５を張設したシフター４を配置したものであり、部品点数が多いことから経済面で不利であるとともに、組付けも容易でなく、使用後の処理にも問題がある。また、中枠３を容器本体１の内底に設置する構成であるため容器本体１への化粧料２の充填操作が煩雑になる。
【０００４】
また、前記実開平３−７２８０８号公報に提示されている化粧料容器は、図６に示すように、化粧料本体１に直接、化粧料２を充填するものでなく化粧料本体１に化粧料２を充填するとともにその全開口部に伸縮性ネット５を張設した中皿６を内装したものである。そのため、必要面積以上に伸縮ネット５を余分に用いることになったり、更に、ネット部分だけを取り外すことができず、化粧料２の詰め替えはきわめて困難である。
【０００５】
更にまた、特開２００５−２１５４４号公報に提示されているように頂面を開放した円筒皿形の底面に形成した開口に伸縮性ネットが張設されている枠体も提示されているが、環状嵌合部と環状嵌合部に連接した肉薄柔軟な連結部と、該連結部に連設した肉厚のしごき部とからなるものであり、きわめて複雑な構成であり、特に、肉薄柔軟な連結部により撓みを増す反面、伸縮性ネットを安定した状態にて支持することができないので伸縮性ネットの機能を十分に発揮刺せることができないという問題がある。
【特許文献１】実開昭６３−１７７４０６号公報
【特許文献２】実開平３−７２８０８号公報
【特許文献３】特開２００５−２１５４４号公報
【発明の開示】
【発明が解決しようとする課題】
【０００６】
本発明は、上記のような問題点を解決しようとするものであり、従来の伸縮性のネットを用いた化粧料容器に用いられる伸縮ネットを張った中枠のように、パフなどへの化粧料の付着量を調節しながら使用することができることは言うまでもなく、部品点数が少なくてすみ、化粧料の充填がし易く組付けも簡単で、且つ使用後の廃棄も部品が少なく容易で、従って、使い勝手がよいとともに、安価に提供でき多量生産にも適した化粧料容器に使用する中枠を提供することを課題とする。
【課題を解決するための手段】
【０００７】
前記課題を解決するためになされた本発明は、頂面を開放した円筒皿形に同一素材により一体的に成形され、底部の中央に底部の径よりも小径として周囲に枠部を有して形成した開口に伸縮性ネットが張設されていることを特徴とする。
【０００８】
充填した化粧料をその上方に配置した高伸縮性を有するネットを介して取り出すことから、パフなどへの化粧料の付着量を調節しながら使用することができることは言うまでもなく、高伸縮性を有するネットを上方から押圧したとき少なくとも一部が前記容器本体の内底に到達可能な伸縮性を有するものとすることにより無駄なく最後まで使用することができる。
【０００９】
また、本発明において上端縁に沿ってフランジを突出形成した構成としたことを特徴とする場合には容器本体における所定の高さ位置に確実に且つ容易に取り外し可能に配置することができ、特に、接着手段を要さない点が優れている。
【００１０】
更にまた、ネットが高伸縮性を有するとともに射出成形により前記開口に張設されている部品点数の減少や接着工程が不要であるばかりか高伸縮性ネットが枠体に強固に固着するので使用時に容器本体の内底まで延ばした場合にも高伸縮性を有するネットが外れたりする心配がないので最後まで確実に使い切る。
【発明の効果】
【００１１】
本発明は、部品点数が少なく構成も複雑でないことから安価に製造ができるとともに多量生産も容易で、高伸縮性を有するネットを用いることで必要な量を調節してパフなどの塗布具にきわめて容易に且つ飛散させることなしに取り出すことができ、頂面に沿ってシールで密封することにより高伸縮性を有するネットを覆うことによりバージン性を確保することができるとともに使用前の運搬や保管時に充填してある化粧料が容器内にこぼれる心配もない。
【図面の簡単な説明】
【００１２】
【図１】本発明の実施の形態を示す斜視図。
【図２】図１の拡大縦断面図。
【図３】図１に示した実施の形態を用いた化粧料容器の斜視分解図。
【図４】図３に示した化粧料容器の縦断面図、（ａ）は未使用時、（ｂ）は使用時の状態を示す。
【図５】従来例を示す断面説明図。
【図６】異なる従来例を示す断面説明図。
【発明を実施するための最良の形態】
【００１３】
以下に、図面を参照しながら本発明を実施するための最良の形態を説明する。
【００１４】
図１および図２は、本発明である中枠３についての実施の形態の一例を示すものであり、中枠３は底浅な頂面を開放した従来と同様な適宜硬質樹脂により円筒皿形に一体的に形成され、上端縁に沿ってフランジ３１が突出形成されており底部３２の中央に底部３２の径よりも小径として周囲に枠部３４を有して形成した開口３５に伸縮性ネット５が張設されている。
【００１５】
前記中枠３の底部３２に形成された中央の開口３５に張設される高伸縮性を有するネット５は、所定形状に形成したものを底部３２の下面において接着或いは溶着させるなどの手段により、固着させてもよいが、例えば図に示すように射出成形により一体的に張設することにより簡単且つ確実に張設させることが可能であり、強度や生産性の面で有利である。
【００１６】
図３及び図４は本発明である中枠３の使用例を示すものであり、主として内部に例えば微粉末の化粧料２を充填するための頂面に形成した開口部１１を有する浅い底を有して適宜の内径と外形を有する容器本体１に本発明である中枠３を収容し、その上に蓋体６を着脱可能に被せた化粧用容器として使用される。
【００１７】
特に、本発明である中枠３は容器本体１の内部の所定の高さ位置に配置されている。更に詳しく説明すると、中枠３には容器本体１の上端縁１２に重ねて支持するための前記容器本体１の外径と同径かより小径のフランジ３１が突出形成されており、中枠３を容器本体１の開口部１１に前記フランジ３１の下面が容器本体１の上端縁１２に当接するまで差し込み、フランジ３１を上端縁１２に支持することにより、中枠３を容器本体１の所定の深さ位置に密接状態で配置、固定させることができ、前記容器本体１内の中枠３より下方部分が化粧料２の収納部になる。
【００１８】
このように本実施の形態では、中枠３の上端縁に沿ってフランジ３１を突出形成した構成としたので、中枠３を容器本体１に差し込むだけの簡単な工程で中枠３を容器本体１の所定の深さ位置に固定させることができるばかりか、そのまま抜き取って再差し込みが可能であるから化粧料を交換して使用することもできるが、特に、使い捨ての場合には、中枠３は所定位置に接着や溶着により固着するものであってもよい。
【００１９】
更に前記中枠３の底部３２には中央の開口３５に高伸縮性を有するネット５が張設されている。尚、前記開口３５は底部３２の全面に形成してもよいが、本実施の形態では、底部３２の径よりも小径として周囲に枠部３４を形成しており、この枠部３４により中枠３の強度を保持するとともに枠部３４の表面に前記開口３５を覆うシール部材７を接着させることができる。
【００２０】
尚、前記中枠３の底部３２に形成された中央の開口３５に張設される高伸縮性を有するネット５は、所定形状に形成したものを底部３２の下面において接着或いは溶着させるなどの手段により、固着させてもよいが、例えば射出成形（図示せず）により一体的に張設することにより簡単且つ確実に張設させることが可能であり、強度や生産性の面で有利である。
【００２１】
以上の構成を有する本実施の形態を装着した化粧料容器は、例えば、始めに容器本体１内に所定量の化粧料が充填され、次いで、その上に本発明である中枠３がほぼ圧接状態で所定の位置まで、挿入されて所定の深さ位置（充填した化粧料２の表面真上位置）に固定される。このとき、中枠３の枠部３４に予めシール部材７を接着しておくか、或いは中枠３を配置した後に接着して充填した化粧料２を密封する。
【００２２】
そして、蓋体６をそのまま、或いは、必要であれば、容器本体１に固定した中枠３のシール部材の上部と頂端縁迄の間に形成された空所にパフ８などの塗布具を収納して蓋体６を被せて製品とする（図４（ａ）参照）。
【００２３】
このようにして形成された本実施の形態を使用するには、まず、蓋体６を取り外して容器本体１を開口し、例えば摘み部７１（図３参照）を摘んでシール部材７を引き剥がして高伸縮性を有するネット５を露出させる（図４（ｂ）参照）。このように、本実施の形態である中枠３を用いたことによりシール部材７により使用するまでの期間にわたって充填された化粧料２が密封されているので、バージン性が保たれるとともに、使用時までの間における運搬時や保管時などにおいて容器本体１内に充填された化粧料２が中枠３を越えて容器本体１の内外にこぼれる心配がない。
【００２４】
そして、次に、添付の或いは別に用意したパフや筆などの塗布具８を用いて伸縮性を有するネット５上を下方に押圧しながら所望量をすくい取る。このとき、本実施の形態ではネット５は高伸縮性であり、図４（ｂ）に示すように少なくとも一部が容器本体１の内底に到達可能な伸縮性を有することから充填した化粧料２の残すことなく使用することができる。
【００２５】
また、ネット５は高伸縮性を有していることから塗布具を離すと、即座に元の張設状態に復帰するので化粧料２が飛散することがなく、化粧料は元の状態に復帰する。
【００２６】
尚、本実施の形態では高伸縮性を有しているネット５をはじめとして特に材料について明記していないが、それぞれ従来周知のものを使って形成することができる。また、本実施の形態では、化粧料２として粉末状のものを用いたが、例えばペースト状など従来周知の他の化粧料を用いても同様に実施することは勿論である。
【符号の説明】
【００２７】
１  容器本体、２  化粧料、３  中枠、５  ネット、６  蓋体、７  シール部材、１１
開口部、１２  上端縁、１３  内底、３５  開口
【図１】
2011087972.tif 000003
【図２】
2011087972.tif 000004
【図３】
2011087972.tif 000005
【図４】
2011087972.tif 000006
【図５】
2011087972.tif 000007
【図６】
2011087972.tif 000008